(57)【要約】【課題】  別の固定部品を要することなく、生産過程中に基本設定値を伝わる端子部が封止できるように構造が改善された電子機器の端子ホールのカバーユニットを提供する。【解決手段】  開示された本発明に係る端子ホールのカバーユニットは、電子機器のハウジング内に設けられた端子部をハウジングの外部に露出させる端子ホールを封じ止める端子ホールのカバーユニットにおいて、ユーザーの選択により開閉する装置収容溝と連通して設けられる端子ホールを設け、前記装置収容溝を開閉する第１のカバーと、前記端子ホールを開閉する第２のカバーとが相補的に係合する。【選択図】      図２ 
2005244971.tif 000002
【特許請求の範囲】
【請求項１】
電子機器のハウジング内に設けられた端子部をハウジングの外部に露出させる端子ホールを封じ止める端子ホールのカバーユニットにおいて、
ユーザーの選択により開閉する装置収容溝と；
前記装置収容溝を開閉する第１のカバーと；
前記装置収容溝と連通するように形成され、前記端子部がその内側に設けられた端子ホールと；
前記端子ホールを開閉する第２のカバーとを含み、
前記第１のカバーと第２のカバーとは、相補的に係合してロックされることを特徴とする端子ホールのカバーユニット。
【請求項２】
前記第２のカバーは、
端子ホールのカバー本体と；
前記端子ホールのカバー本体の両側に突設し、前記端子ホールに沿って摺動する摺動突起と；
前記端子ホールのカバー本体が前記端子ホールの内部に陥没することを防止するガイド溝と；
前記端子ホールのカバー本体の一端部に長手方向に突設する第１のロッカーと；
前記端子ホールのカバー本体の前記端子ホールに対向して突設し、前記第１のカバーの摺動動作を拘束する第２のロッカーとを含むことを特徴とする請求項１に記載の端子ホールのカバーユニット。
【請求項３】
前記第１のロッカーは、前記端子ホールの内周面の前記第１のロッカーに対応する位置に形成される第１のロッカー収容溝に収められることを特徴とする請求項２に記載の端子ホールのカバーユニット。
【請求項４】
前記第２のロッカーは、前記電子機器のハウジングの前記第２のロッカーに対応する位置に形成された第２のロッカー収容溝に収められることを特徴とする請求項２に記載の端子ホールのカバーユニット。
【請求項５】
前記端子ホールのカバー本体は、前記装置収容溝の空間部を摺動して前記端子ホールを封じ止めることを特徴とする請求項２に記載の端子ホールのカバーユニット。
【請求項６】
前記装置収容溝は、電子機器に補助電源を供給する補助バッテリ収容溝であることを特徴とする請求項１に記載の端子ホールのカバーユニット。
【発明の詳細な説明】
【技術分野】
【０００１】
本発明は、電子機器に係り、より詳しくは、デジタルカムコーダー（ＤＶＣ；デジタルビデオカメラ）やデジタルスチルカメラ（ＤＳＣ；デジタルスチルカメラ）のような電子機器においてズームセンター（ＺＯＯＭ  ＣＥＮＴＥＲ）等のような各種の初期の設定値を入力される端子部を封じ止めるための端子ホールのカバーユニットに係る。
【背景技術】
【０００２】
デジタルカムコーダーのような電子機器は、撮像ユニットで取り込んだ画像情報をデジタル信号に変換し、デジタル情報を磁気テープ、または不揮発性メモリに書き込むものである。近年に入って、このようなカムコーダーに、ユーザーの使い勝手を向上するために、露出、フォーカシング等を自動で設定する機能が備えられている。かかる機能を実現するためには、生産段階で動作に必要とされる各種のデータをデジタルカムコーダー等の電子機器側の制御部に入力する必要がある。かかる生産段階におけるデータの入力のための端子部は、一般のユーザーが接近する必要はないものであるため、生産過程が終了した後には、一般のユーザーが接近できないように外部から封じ止める必要がある。
【０００３】
図１は、前記のような端子部を封じ止めるための封止カバーを締め付ける状態を示す図である。同図に示すように、デジタルカムコーダーのハウジング１は、その本体に一体として貫通形成された端子ホール２からデータを入力されるための端子部３が外部に露出される。端子部３には、所定のデータケーブルが接続され、デジタルカムコーダーの各種の設定値を伝わる。
【０００４】
端子部３を外部に露出させる端子ホール２は、すべての設定値がデジタルカムコーダー側に伝送されると、一般のユーザーが接近できないように封じ止めなければならない。このために、図示したように、端子ホール２に対応する形状の端子ホールカバー４が備えられる。即ち、端子ホールカバー４は、一方に突設したロック突起４’と、抜け止めのために締め付けられるスクリュー５で前記デジタルカメラのハウジング１に固定される。
【０００５】
しかし、このような端子ホールカバー４によれば、端子部３を含む端子ホール２をスクリュー５のような別の部材で締め付け固定しなければならないため、装置の体積が増大し、且つ作業工数の増大につながり得る。また、締め付けのためにスクリュー５のような別の部材を必要とするため、製品のコストもアップするという問題点がある。
【発明の開示】
【発明が解決しようとする課題】
【０００６】
本発明は、前記のような問題点に鑑みてなされたものであって、その目的は、別の固定部品を要することなく、生産過程中に基本設定値を伝わる端子部が封止できるように構造が改善された電子機器の端子ホールのカバーユニットを提供することである。
【課題を解決するための手段】
【０００７】
前記のような目的を達成するための本発明に係る電子機器の端子ホールのカバーユニットは、ユーザーの選択により開閉する装置収容溝と連通するように設けられる端子ホールを設け、前記装置収容溝を開閉する第１のカバーと、前記端子ホールを開閉する第２のカバーとが相補的にロックされることを特徴とする。この時、前記第２のカバーは、バッテリ収容溝の空間を摺動空間と活用しながら、前記端子ホールの内周面上に突設したガイダーに沿って摺動し結合することがよい。
【０００８】
本発明の好適な実施例に係る端子ホールのカバーユニットは、電子機器のハウジング内に設けられた端子部をハウジングの外部に露出させる端子ホールを封じ止める端子ホールのカバーユニットにおいて、装置収容溝と；前記装置収容溝を開閉する第１のカバーと；前記装置収容溝と連通するように形成され、前記端子部がその内側に設けられた端子ホールと；前記端子ホールを開閉する第２のカバーとを含み、前記第１のカバーと第２のカバーとは、相補的に係合してロックされることを特徴とする。
【０００９】
そして、前記第２のカバーは、端子ホールのカバー本体と；前記端子ホールのカバー本体の両側に突設し、前記端子ホールに沿って摺動する摺動突起と；前記端子ホールのカバー本体が前記端子ホールの内部に陥没することを防止するガイド溝と；前記端子ホールのカバー本体の一端部に長手方向に突設する第１のロッカーと；前記端子ホールのカバー本体の前記端子ホールに対向して突設し、前記第１のカバーの摺動動作を拘束する第２のロッカーとを含むことがよい。
【００１０】
また、前記第１のロッカーは、前記端子ホールの内周面の前記第１のロッカーに対応する位置に形成される第１のロッカー収容溝に収められることがよい。
【００１１】
そして、前記第２のロッカーは、前記電子機器のハウジングの前記第２のロッカーに対応する位置に形成された第２のロッカー収容溝に収められることがよい。
【００１２】
そして、前記端子ホールのカバー本体は、前記装置収容溝の空間部を摺動して前記端子ホールを封じ止めることがよい。
【００１３】
そして、前記装置収容溝は、電子機器に補助電源を供給する補助バッテリ収容溝であることが好ましい。
【発明の効果】
【００１４】
以上で説明したような本発明に係る端子ホールのカバーユニットによれば、補助バッテリ収納部を開閉する第１のカバーと、端子ホールを開閉する第２のカバーとが相互相補的にロックされるため、端子ホールを封じ止めるための別の締め付け手段を必要としないことから作業工数が減少し、製造コストを節減することができる。
【発明を実施するための最良の形態】
【００１５】
本発明の前記のような目的及び他の長所は、添付図面を参照して、本発明の好適な実施例について詳細に説明することにより一層明らかになるはずである。
【実施例１】
【００１６】
図２及び図３は、本発明の好適な実施例に係る端子ホールカバーの組立状態を示す図である。
【００１７】
図示した部分は、電子機器のハウジングの一部分であって、カムコーダーのような電子機器に電源を供給するための充電バッテリ装着ユニット１０の部分である。充電バッテリ装着ユニット１０には、電子機器の基本情報を維持するための補助バッテリ（図示せず）が設けられる補助バッテリ収容部１０ａが備えられ、補助バッテリ収容部１０ａは、開閉自在の第１のカバー２０により開閉することができる。
【００１８】
第１のカバー２０は、補助バッテリ収容部１０ａの開口面の形状に対応して備えられるカバー本体２１と、カバー本体２１の端部に結合されるフレキシブルバンド２２と、ロッカー２３とを含む。フレキシブルバンド２２は、カバー本体２１を充電バッテリ装着ユニット１０に固着する役割を果たしつつ、カバー本体２１が開放される場合における軸支中心の役割を果たす。また、フレキシブルバンド２２は、自体弾性により折り曲げられながら第１のカバー２０の回動中心の役割を果たすため、開放動作の自由度をアップすることができ、ユーザーが容易にカバーを開けることができる。そして、ロッカー２３は、後述する第２のカバー１００の端部に係止できるように、第２のカバー１００に当たる第１のカバー２０の一端部に突設してなることがよい。好ましくは、端部をラウンド処理することで、第２のカバー１００から小さい力で容易に離脱できるようにすることがよい。
【００１９】
端子ホール１０ｂは、補助バッテリ収容部１０ａと相互連通するように形成され、電子機器に設けられた各種の装置の基本設定値を入力するための端子部４０を選択的に外部に露出させる。端子部４０は、生産過程中に生産者が電子機器側へと必要な設定値を伝送するためのものであるため、製品の生産が終了すると、一般のユーザーが接近できないように封じ止めなければならない。このため、図２乃至図７に示すように、端子ホール１０ｂに対応する形状の第２のカバー１００が備えられ、端子ホール１０ｂを封じ止める。
【００２０】
第２のカバー１００は、図４に示すように、端子ホールカバー本体１１０と、摺動突起１２０と、ガイド溝１３０と、第１のロッカー１４０と、把持溝１５０と、第２のロッカー１６０とを含む。
【００２１】
端子ホールカバー本体１１０は、端子ホール１０ｂに対応する形状に設けられ、第１のカバー２０の厚さに対応して備えられることがよい。そして、図５に示すように、第１のカバー２０と端子ホールカバー本体１１０は、相互相補的な形状を有し、相互係合できる。
【００２２】
摺動突起１２０は、端子ホール１０ｂの内周面に突設したガイダー１１に端部が保持されるものであって、端子ホール１０ｂの内周面に形成された摺動溝１２に沿って摺動する。好ましくは、摺動溝１２と、摺動突起１２０とは、相互相補的な形状に設けられることがよい。
【００２３】
ガイド溝１３０は、ガイダー１１の形状に相補する形状に設けられるものであって、摺動突起１２０が摺動溝１２に沿って摺動する間、ガイダー１１は、ガイド溝１３０に沿って摺動する。
【００２４】
従って、摺動突起１２０と摺動溝１２、及びガイド溝１３０とガイダー１１は、第２のカバー１００の摺動動作をガイドするレールの役割を果たしながら、第２のカバー１００がハウジングの内部に陥没したり、ハウジングの外部に離脱することを防止する。
【００２５】
第１のロッカー１４０は、第２のカバー１００の離脱を防止し、係合をより強固に保つために設けられたものであって、第２のカバー１００の一方に突設する。好ましくは、図３及び図４に示すように、端子ホールカバー本体１１０の下部側に複数下方に向けて突設することが好ましい。この場合、第１のロッカー１４０が収容できるように、端子ホール１０ｂの内周面の第１のロッカー１４０に対応する部分には、第１のロッカー収容溝１４が形成されることがよい。
【００２６】
把持溝１５０は、第１のカバー２０を開放する時、ユーザーがより便利にロッカー２３を解除するために、第１のカバー２０の端部を把持できるように形成したものであって、端子ホールカバー１０ｂの一端部に凹溝部を形成したものである。図３に示すように、第１のカバー２０に当接する端子ホールカバー本体１１０の一端部側に形成されることがよい。
【００２７】
第２のロッカー１６０は、第２のカバー１００の摺動動作を補助的に拘束するためのものであって、第１のカバー２０が開放された後もユーザーにより一定の力を加える場合にのみ第２のカバー１００が開放方向に摺動できるように拘束する役割を果たす。第２のロッカー１６０は、図４に示すように、把持溝１５０の他方面に突設し、この場合、第２のロッカー１６０を収容するために、充電バッテリ装着ユニット１０を形成するフレーム体の対応する部分に第２のロッカー収容溝１３が形成される。
【００２８】
以下、本発明の好適な実施例に係る第２のカバー１００の着脱方法について、添付した図面に基づいて説明する。
【００２９】
図３に示すように、充電バッテリ装着ユニット１０には、補助バッテリを収容するための補助バッテリ収容部１０ａと、電子機器の基本設定値を入力するための端子部４０を外部に露出させる端子ホール１０ｂとが相互連通して設けられている。それぞれの補助バッテリ収容部１０ａと、端子ホール１０ｂは、別のカバー部材により封じ止められるが、補助バッテリ収容部１０ａは第１のカバー２０により、端子ホール１０ｂは第２のカバー２００により封じ止められる。
【００３０】
第１のカバー２０は、図５に示すように、第２のカバー１００と相補的に結合することで、充電バッテリ装着ユニット１０に形成された補助バッテリ収容部１０ａを封じ止める。第１のカバー２０を開放するために、ユーザーは、把持溝１５０に指を入れて第１のカバー２０を持ち上げれば済む。この場合、第１のカバー２０は、図６に示すように、ロッカー２３が第２のカバー１００の端部から離脱しながらロックが解除され上方に開けられる。
【００３１】
一方、第１のカバー２０が開けられると、第１のカバー２０の下側に摺動結合されている第２のカバー２００を上方に摺動させて除去することができる。即ち、第２のカバー１００は、図５に示すように、第１のカバー２０が閉鎖され補助バッテリ収容部１０ａを封じ止めている間には、カバー２０の端部により上方への移動が拘束される。しかし、図６に示すように、カバー２０が開けられると、その拘束が解除されるため、第２のカバー１００は、上方に摺動することができる。
【００３２】
従って、第２のカバー１００を除去するためには、カバー２０を開けた後、補助バッテリ収容部１０ａが開けられた状態で第２のカバー１００を図６に示す矢印方向に摺動させ、図７に示すように、端子ホール１０ｂから分離する。
【００３３】
そして、第２のカバー１００を端子ホール１０ｂを覆うように結合するためには、前記過程の逆順で結合作業を行えば済む。即ち、カバー２０が開けられた状態で、第２のカバー１００を、図７に示すように、補助バッテリ収容部１０ａ側に位置させる。そして、第２のカバー１００を、封じ止めるべき端子ホール１０ｂの端部に向かって進めさせ、摺動突起１２０を摺動溝１２に沿って摺動させる。この状態で、第２のカバー１００を摺動させ続けると、摺動突起１２０は、ガイダー１１の上部側まで進み、ガイダー１１は、第２のカバー１００のガイド溝１３０に収められる。
【００３４】
そして、第２のカバー１００が摺動しながら端子ホール１０ｂを封止位置に至らせると、第１のロッカー１４０と、第２のロッカー１６０は、それぞれの対応する位置に形成された第１のロッカー収め溝１４及び第２のロッカー収め溝１３にそれぞれ収められながら、第２のカバー１００が封止位置で固着される。
【００３５】
従って、本発明に係る端子ホールのカバーユニットによれば、第１及び第２のカバー２０、１００が相互相補的に係合するため、スクリューのような締め付け部材を使用して第２のカバー１００を固着する時のような別の係合部材乃至は設置及び解除のためにドライバのような別の工具を必要とする不便がなく、繰り返して第２のカバー１００を開閉する場合にも係合ユニットの破損が生じ難い。
【００３６】
以上、本発明を、本発明の原理を例示するための好適な実施例に関連して図示し説明したが、本発明は、そのように図示し説明された通りの構成及び作用に限定されるものではない。即ち、本発明の属する技術分野における通常の知識を有する者であれば特許請求の範囲の思想及び範疇を逸脱することなく、本発明に対する種々の変更及び修正が可能であることがよく理解できるはずである。従って、かかるすべての適切な変更及び修正と均等物も本発明の範囲に属するものと見なされるべきである。
【産業上の利用可能性】
【００３７】
各種の設定値を入力するために生産工程中にのみ使用される端子部を有する電子機器に使用され得る。
【図面の簡単な説明】
【００３８】
【図１】従来技術による電子機器の端子ホールカバーの結合方法を示す分解斜視図である。
【図２】本発明に係る第１及び第２のカバーからなる電子機器の端子ホールのカバーユニットが開示された斜視図である。
【図３】図２に示す第１及び第２のカバーの分解斜視図である。
【図４】図２に示す第２のカバーの斜視図である。
【図５】図２に示す電子機器の端子ホールカバーが相互相補的に係合された状態を示す平面図である。
【図６】第１のカバーが開けられた状態で第２のカバーが摺動する状態を示す平面図である。
【図７】第１のカバーが開けられた状態で第２のカバーが摺動する状態を示す平面図である。
【符号の説明】
【００３９】
１０    充電バッテリ装着ユニット
１０ａ  補助バッテリ収容部
１０ｂ  端子ホール
１１    ガイダー
１２    摺動溝
１３    第１のロッカー収容溝
１４    第２のロッカー収容溝
２０    カバー
４０    端子部
１００  端子ホールカバー
１１０  端子ホールカバー本体
１２０  摺動突起
１３０  ガイド溝
１４０  第２のロッカー収め溝
１５０  把持溝
【図１】
2005244971.tif 000003
【図２】
2005244971.tif 000004
【図３】
2005244971.tif 000005
【図４】
2005244971.tif 000006
【図５】
2005244971.tif 000007
【図６】
2005244971.tif 000008
【図７】
2005244971.tif 000009